(57)【要約】【課題】スラブ型枠に昇降する手段として簡便な梯子を使用する場合に、梯子自体の転倒、梯子からの転落などを防止して安全性を向上でき、狭い現場でも容易に移動でき使い勝手のよい梯子を得る。【解決手段】一対の支柱脚１間に複数の踏み桟２を適宜間隔で取り付けて主脚３を形成する梯子において、前記支柱脚１に手摺５を取付け、前記支柱脚１は長さ方向の中間部で２分割に形成して各分割体をロック付きの折り畳み金具４で連結し、このロック付きの折り畳み金具４を介して折り畳み自在に形成し、手摺５も長さ方向の中間部で２分割とし、各分割体が前記分割された支柱脚１と一体に折り畳まれ、また、梯子を直線状に伸ばした状態では、手摺５は各分割体の端部が突き合わさり、前記折り畳み金具４のロックで連続状態を保つ。【選択図】        図１
0003121690.tif 000002
【実用新案登録請求の範囲】
【請求項１】
一対の支柱脚間に複数の踏み桟を適宜間隔で取り付けて主脚を形成する梯子において、前記支柱脚に手摺を取付け、前記支柱脚は長さ方向の中間部で２分割に形成して各分割体をロック付きの折り畳み金具で連結し、このロック付きの折り畳み金具を介して折り畳み自在に形成し、手摺も長さ方向の中間部で２分割とし、各分割体が前記分割された支柱脚と一体に折り畳まれ、また、梯子を直線状に伸ばした状態では、手摺は各分割体の端部が突き合わさり、前記折り畳み金具のロックで連続状態を保つことを特徴とする梯子。
【請求項２】
前記手摺の横桟および支柱脚は、上端の踏み桟よりも上方に突出し、横桟および支柱脚の上端部を縦桟で連結した請求項１記載の梯子。
【請求項３】
支柱脚の上部にコンクリート型枠などへのフック状の固定金具を取り付ける請求項１または請求項２に記載の梯子。
【請求項４】
踏み桟の最上段に、幅広のステップ板を取り付ける請求項１から請求項３のいずれかに記載の梯子。
【請求項５】
支柱脚の下端に滑動防止部材を取り付ける請求項１から請求項４のいずれかに記載の梯子。
【請求項６】
手摺は、手摺子により間隔を存して笠木を支承し、この手摺子をリンクアームとして支柱脚に重なるように折り畳み可能とする請求項１から請求項５のいずれかに記載の梯子。
【考案の詳細な説明】
【技術分野】
【０００１】
本考案は、建設現場でコンクリート型枠工事中にスラブ型枠などに昇降するための梯子に関するものである。
【背景技術】
【０００２】
建設工事現場でスラブ型枠に昇降するには、このスラブ型枠に連絡する階段がまだ出来ていないため、昇降のための手段を別途設ける必要がある。そして、この昇降の方法として、従来は、例えば既に架設されている外部足場を利用し、この外部足場から乗り移ったり、あるいは、従来周知の梯子を型枠に立てかけて昇降している。
【０００３】
前記外部足場から乗り移る方法は、外部足場とスラブ型枠との間に手摺をつけた足場板を架け渡し、外部足場を昇降して乗り移るようにしている。
【０００４】
また、梯子による昇降は、型枠に立てかけるだけのものであり、梯子も従来品をそのまま使用できることから、安価で簡便な方法であり、現場で最も多く採用されている。
【０００５】
前記従来技術は、当業者間で一般的に行われているものであり、文献公知考案にかかるものではない。
【考案の開示】
【考案が解決しようとする課題】
【０００６】
前記外部足場から乗り移る方法は、前記のように外部足場からスラブ型枠へ乗り移るための通路を設ける必要があり、外部足場から通路に出るためには支障となるブレースを取り外す必要がある。この場合、ブレースは外部足場の構造部材であるため、取り外したブレースに相当する強度補強を外部足場に施す必要が生じ、補強部材を別途要するだけでなく、補強作業にも手間を要する。
【０００７】
また、スラブ型枠へ乗り移るための通路を設けるには、足場板、単管、クランプ、手摺固定金具などの部材を要して、必要部材点数が多く、部材管理が大変なだけでなく、組み立てた通路の安全点検も行う必要があり、施工性がよくない。
【０００８】
さらに、通路の傾斜が大きい場合は、高さ調整が必要になり、安全性を確保するには通路の固定方法、手摺の取付け、などについて考慮しなければならない。
【０００９】
そして、通路を使用して最上階のスラブ型枠に昇降するには、建築物の外周に設置してある外部足場までわざわざ回らなければならず、面倒である。
【００１０】
一方、従来からの梯子による昇降では、梯子には手摺がなく安全性の面で充分とはいえない。
【００１１】
また、立てかけた梯子の上部に型枠への固定手段がないため、昇降中に梯子とともに転倒するおそれ、梯子の下端が接地面で滑って転倒するおそれがあり、危険性が高い。
【００１２】
さらに、梯子は長尺物であるため、狭い現場ではこれをそのまま持ち回るには困難な場合が多い。
【００１３】
本考案の目的は前記従来例の不都合を解消するものとして、スラブ型枠に昇降する手段として簡便な梯子を使用する場合に、梯子自体の転倒、梯子からの転落などを防止して安全性を向上でき、狭い現場でも容易に移動でき使い勝手のよい梯子を提供することにある。
【課題を解決するための手段】
【００１４】
本考案は前記目的を達成するため、請求項１記載の考案は、一対の支柱脚間に複数の踏み桟を適宜間隔で取り付けて主脚を形成する梯子において、前記支柱脚に手摺を取付け、前記支柱脚は長さ方向の中間部で２分割に形成して各分割体をロック付きの折り畳み金具で連結し、このロック付きの折り畳み金具を介して折り畳み自在に形成し、手摺も長さ方向の中間部で２分割とし、各分割体が前記分割された支柱脚と一体に折り畳まれ、また、梯子を直線状に伸ばした状態では、手摺は各分割体の端部が突き合わさり、前記折り畳み金具のロックで連続状態を保つことを要旨とするものである。
【００１５】
請求項１記載の本考案によれば、梯子を形成する主脚に手摺を設けたから、梯子からの転落を防止でき、安全性が向上する。また、支柱脚を中間で２つ折りに折り畳むことができ、運搬や保管時には全体の長さを短くできるから使い勝手がよい。そして、この場合、手摺も支柱脚といっしょに折り畳まれるから、手摺を取り付けた場合であっても、使い勝手の良さが軽減することはない。
【００１６】
さらに、梯子を直線状に伸ばした状態では、手摺は分割体のそれぞれの端部が連結箇所で突き合わさるから、梯子全体にかかる荷重に対する剛性を増すことができ、安全性が向上する。
【００１７】
請求項２記載の考案は、前記手摺の横桟および支柱脚は、上端の踏み桟よりも上方に突出し、横桟および支柱脚の上端部を縦桟で連結したことを要旨とするものである。
【００１８】
請求項２記載の本考案によれば、手摺は上端の踏み桟よりも上方に大きく突出するから、梯子の上端まで登りつめた状態でも手摺に頼ることができ、安全である。
【００１９】
請求項３記載の考案は、支柱脚の上部にコンクリート型枠などへのフック状の固定金具を取り付けることを要旨とするものである。
【００２０】
請求項３記載の本考案によれば、梯子の上部を固定金具でコンクリート型枠に固定できるから、梯子の昇降時に梯子が上部から傾いて転倒することを防止でき、安全である。
【００２１】
請求項４記載の考案は、踏み桟の最上段に、幅広のステップ板を取り付けることを要旨とするものである。
【００２２】
請求項４記載の本考案によれば、最上段に幅広のステップ板が存在するから、梯子からスラブ型枠に乗り移るときに安定した姿勢で移動でき、安全である。
【００２３】
請求項５記載の考案は、支柱脚の下端に滑動防止部材を取り付けることを要旨とするものである。
【００２４】
請求項５記載の本考案によれば、滑動防止部材が地盤に密着するから、支柱脚の下端が接地面に対して滑ることがなく、滑動による転倒も防止でき、安全である。
【００２５】
請求項６記載の本考案は、手摺は、手摺子により間隔を存して笠木を支承し、この手摺子をリンクアームとして支柱脚に重なるように折り畳み可能とすることを要旨とするものである。
【００２６】
請求項６記載の本考案によれば、手摺は、柱脚に重なるように折り畳み可能とすることで不要時には扁平として場所を取らないものとすることができる。
【考案の効果】
【００２７】
以上述べたように本考案の梯子は、スラブ型枠に昇降する手段として簡便な梯子を使用する場合に、梯子にスラブ型枠への固定金具や接地面への滑動防止部材を設けたから、梯子自体の転倒を防止でき、また、梯子に手摺を取り付けたから、梯子からの転落などを防止して安全性を向上でき、さらに、全体を長さ方向で折り畳めるようにしたから狭い現場でも容易に移動でき使い勝手のよいものである。
【考案を実施するための最良の形態】
【００２８】
以下、図面について本考案の実施形態を詳細に説明する。図１は本考案の梯子の実施形態を示す側面図、図２は同上分割状態の側面図、図３は正面図で、本考案の梯子は、基本構造は一対の支柱脚１間に複数の踏み桟２を適宜間隔で取り付けて主脚３を形成するが、図２に示すように前記支柱脚１を長さ方向のほぼ中間で支柱脚上１ａと支柱脚下１ｂとに２分割し、支柱脚上１ａと支柱脚下１ｂとを後述のロック付きの折り畳み金具４で連結する。
【００２９】
かかる支柱脚１に、梯子面に対して直角方向に、縦桟による手摺子２８と横桟バーによる笠木２９とで構成する手摺５を取り付ける。手摺子２８は間隔を存して笠木２９を支承する。
【００３０】
この手摺５も支柱脚上１ａ、支柱脚下１ｂに対応させて長さ方向で手摺上５ａと手摺下５ｂとに２分割し、手摺上５ａと手摺下５ｂとの連結箇所（笠木２９の部分が相当する）は図２にも示すように突き合せとする。
【００３１】
前記支柱脚１は最上段の踏み桟２よりも例えば上方に６０ｃｍ以上程度、大きく突出させ、手摺上５ａもこれと同程度上方に突出させ、両者の突出端部を縦桟６で連結する。
【００３２】
また、手摺下５ｂの下端部は、支柱脚１の下端よりも例えば約１５０ｃｍ程度上方に位置させる。
【００３３】
図５にも示すように最上段の踏み桟２位置で支柱脚１にスラブ型枠などへの固定手段としてフック形状の固定金具７を取り付けるとともに、幅広のステップ板８を取り付ける。このステップ板８は手摺５の突設方向とは反対の方向に突出させる。
【００３４】
さらに、支柱脚１の下端にゴムなどの滑りにくい部材を使用する取付け角度調整自在な滑動防止部材９を取り付ける。
【００３５】
前記支柱脚上１ａと支柱脚下１ｂとを連結する折り畳み金具４は、例えば、図８〜図１０に示すようなものを使用する。
【００３６】
折り畳み金具４は、支柱脚上１ａに固定される第１の金具１２と、支柱脚下１ｂに固定される第２の金具１３とで構成し、第１の金具１２を内側にして第１の金具１２と第２の金具１３の端部をピン１４で回動自在に軸着した。
【００３７】
第１の金具１２は、平面コ字形の本体部の対向する一方の片１５ａを下方に延長し、この延長部に上部主脚１ａをビスで固定したもので、対向する他方の片１５ｂとの間に、先端が片１５ａの外側に突出するようにバネで付勢したロックピン１７をスライド自在に取り付ける。図示は省略するが、対向する片１５ａ，１５ｂを連結する片に切欠きを形成し、後述の係止爪２７の先端が挿入する空隙を確保する。
【００３８】
第２の金具１３は、平面コ字形本体部の対向する一方の片２０ａを下方に延長し、この延長部に下部主脚１ｂをビスで固定したもので、前記片２０ａの上部分に前記ロックピン１７が挿入するロック孔２２を形成するとともに、上端にロックピン１７をバネ１６の弾力に抗して没入方向に押圧する押圧部２１を上方に向けて外方に傾斜するテーパー状の突出片で形成した。
【００３９】
また、ロックピン１７の他端を片１５ｂの外側に突出させ、この突出部にロック解除のための解除レバー２３をロックピン１７と直交する方向に向けて固着し、片１５ｂの外側でロックピン１７の前記突出部分を囲むようにして該解除レバー２３が係合する解除用のカム２４を固着する。ロックピン１７は前記のごとく解除レバー２３を連結するとともにその軸線と直交する向きに作動ピン２５を一体化したものである。
【００４０】
該カム２４は円筒状体の先端面をテーパー面２４ａに形成したもので、解除レバー２３の基端部がこのテーパー面２４ａの上を移動することでロックピン１７がロック孔２２に対して出没方向に移動する。また、ロック孔２２の上方であって片２０ａの上端には外側に向け斜めに傾斜させたガイド２６を形成している。
【００４１】
ロックピン１７のほぼ中央位置に途中にバネ受けを取付け、該バネ受けの外側に作動ピンをロックピン１７と直交させて突設し、第２の金具１３には該作動ピンが係合してロックピン１７を突出位置に復位させる係止爪２７を設けた。この係止爪２７は、第２の金具１３の片２０ａと片２０ｂとを結合する片の上部に内側に傾斜するテーパー片として形成した。
【００４２】
ロックする直前の状態としては、支柱脚上１ａと支柱脚下１ｂとが直線状に並ぶように開いていくと、ガイド２６がロックピン１７の先端に被さるようになる。このとき、ガイド２６はロックピン１７に相対して固定された状態に保たれているので、ガイド２６の傾斜によってロックピン１７は押される。
【００４３】
このように、支柱脚上１ａと支柱脚下１ｂとが直線状に並ぶ姿勢となるように第１の金具１２と第２の金具１３を相互に回転させることにより、ロックピン１７をガイド２６が圧下して第１の金具１２の表面からの突き出し長さが短くなっていく。
【００４４】
支柱脚上１ａと支柱脚下１ｂを更に開いて直線状にしていくと、第１の金具１２と第２の金具１３の相互の回動によって、ガイド２６の傾斜によって圧下されていたロックピン１７のテーパー状の先端部は第１の金具１２の下に潜り込む。そして、ロックピン１７と第２の金具１３のロック孔２２が整合すると、ロックピン１７がバネ１６の付勢力によってロック孔２２の中に入り込む。これにより、第１の金具１２と第２の金具１３が一体にロックされ、支柱脚上１ａと支柱脚下１ｂの直線状に連結固定することができる。このロックの状態では、解除レバー２３はカム２４が第１の金具１２から突き出る長さが最も短い部分に位置し、バネ１６は最大長さ伸長している。
【００４５】
ロックを解除するときは、解除レバー２３を時計方向に回す。この解除レバー２３の回動により解除レバー２３は、第１の金具１２から突き出ているカム２４の最も低い部分から最も高い部分に移動する。これにより、解除レバー２３に一体となっているロックピン１７が下に移動すると同時にバネ１６を収縮させる。
【００４６】
このような解除レバー２３の回動操作により、ロックピン１７はロック孔２２から抜け出る。したがって、支柱脚上１ａと支柱脚下１ｂを折り曲げるようにすると、ロック時前と同様にロックピン１７の先端を第１の金具１２の内面を滑らせながら移動させることができる。これにより、支柱脚上１ａと支柱脚下１ｂを折り畳むことができる。
【００４７】
以上のようにして図４に示すように折り畳み金具４を介して支柱脚上１ａと支柱脚下１ｂとが重なるようにして折り畳まれる。この場合、手摺上５ａは支柱脚上１ａに、また、手摺下５ｂは支柱脚下１ｂにそれぞれ一体に固定されているから、手摺５も支柱脚１とともに二つ折りに折り畳まれ、折り畳まれた状態では手摺５は支柱脚１の外側に配置される。
【００４８】
次に使用法を説明する。不使用時には梯子は図４で実線で示すように二つ折りの扁平に折り畳まれている。この状態から上半分の支柱脚上１ａを折り畳み金具４の位置から引き起こせば、支柱脚上１ａが支柱脚下１ｂと一直線状となり梯子が形成される。
【００４９】
この状態で、折り畳み金具４にロックをかけると、手摺上５ａと手摺下５ｂも支柱脚上１ａと支柱脚下１ｂとそれぞれ一体になって上下のものが結合する。手摺上５ａと手摺下５ｂとの連結箇所（笠木２９の部分が相当する）をなす結合部は突き合せとなる。
【００５０】
かかる梯子をスラブ型枠に取り付けるには、図５にも示すように固定金具７をスラブ型枠１０に引っ掛ければ、梯子の上部がスラブ型枠１０に固定されて梯子上部からの転倒が阻止される。
【００５１】
また、接地部は滑動防止部材９が地盤に密着するから、梯子下部からの滑りによる転倒も阻止される。
【００５２】
よって、梯子の踏み桟２に足をかけて昇降する。このとき、側方の手摺５を握ることで梯子からの転落を防止できる。そして、最上段のステップ板８に達したならば、ここからスラブ型枠１０に乗り移る。このとき、ステップ板８は幅広に形成してあるから、また、縦桟６が手摺５の上部に取り付けてあるから、安定した姿勢で移動でき、移動時の転落も防止できる。
【００５３】
また、手摺５は最上段のステップ板８よりも上方に大きく突出しているから、ステップ板８の上からでも手摺５を握ることができ、安全である。
【００５４】
そして、手摺５が支柱脚１にそって設けられることで、梯子にかかる荷重に対する剛性が増し、さらに安全性を高められる。
【００５５】
不使用時には、折り畳み金具４を介して支柱脚上１ａと支柱脚下１ｂとを重なるようにして２つ折りに折り畳めば、支柱脚上１ａと支柱脚下１ｂにそれぞれ取り付けてある手摺上５ａと手摺下５ｂもいっしょに折り畳まれる。
【００５６】
この状態で、手摺上５ａと手摺下５ｂが図４に示すように支柱脚上１ａと支柱脚下１ｂの外側に位置して全体に扁平なものになる。よって、運搬が容易で、保管スペースも僅かで足りる。
【００５７】
前記実施形態では、手摺５は支柱脚１の梯子面に対して直角方向に固定して取り付けるものとしたが、図１５に示すように、笠木２９を支承する手摺子２８を回動可能なリンクアームとして、前記支柱脚上１ａと支柱脚下１ｂとを重なるようにして２つ折りに折り畳たたむ際に、この手摺５を更に支柱脚１に重なるように折り畳み可能とするようにしてもよい。図中αは手摺子２８をリンクアームとするための軸着部である。
【００５８】
この実施形態の場合には縦桟６もリンクアームとして回動可能なものとし、折り畳みの際の操作ハンドルを兼用させる。
【図面の簡単な説明】
【００５９】
【図１】本考案の梯子の第１実施形態を示す側面図である。
【図２】本考案の梯子の第１実施形態を示す分割状態の側面図である。
【図３】本考案の梯子の第１実施形態を示す正面図である。
【図４】本考案の梯子の第１実施形態を示す折り畳んだ状態の側面図である。
【図５】本考案の梯子の第１実施形態を示す要部である上部の型枠に引っ掛けた状態の側面図である。
【図６】本考案の梯子の使用状態を示す側面図である。
【図７】本考案の梯子の使用状態を示す下部の側面図である。
【図８】折り畳み金具の閉じた状態の正面図である。
【図９】折り畳み金具の閉じた状態の側面図である。
【図１０】折り畳み金具の閉じた状態の横断平面図である。
【図１１】折り畳み金具の閉じる途中状態の正面図である。
【図１２】折り畳み金具の閉じる途中状態の側面図である。
【図１３】折り畳み金具の閉じる途中状態の横断平面図である。
【図１４】折り畳み金具の開いた状態の正面図である。
【図１５】本考案の梯子の第２実施形態を示す側面図である。
【符号の説明】
【００６０】
１  支柱脚                      １ａ  支柱脚上
１ｂ  支柱脚下                  ２  踏み桟
３  主脚                        ４  折り畳み金具
５  手摺                        ５ａ  手摺上
５ｂ  手摺下                    ６  縦桟
７  固定金具                    ８  ステップ板
９  滑動防止部材                １０  スラブ型枠
１２  第１の金具                １３  第２の金具
１４  ピン                      １５ａ，１５ｂ  片
１６  バネ                      １７  ロックピン
１８  切欠き                    ２０ａ，２２０ｂ  片
２１  押圧部                    ２２  ロック孔
２３  解除レバー                ２４  カム
４ａ  テーパー面                ２５  作動ピン
２６  ガイド                    ２７  係止爪
【図１】
0003121690.tif 000003
【図２】
0003121690.tif 000004
【図３】
0003121690.tif 000005
【図４】
0003121690.tif 000006
【図５】
0003121690.tif 000007
【図６】
0003121690.tif 000008
【図７】
0003121690.tif 000009
【図８】
0003121690.tif 000010
【図９】
0003121690.tif 000011
【図１０】
0003121690.tif 000012
【図１１】
0003121690.tif 000013
【図１２】
0003121690.tif 000014
【図１３】
0003121690.tif 000015
【図１４】
0003121690.tif 000016
【図１５】
0003121690.tif 000017